【手続補正書】
【提出日】平成16年11月17日(2004.11.17)
【手続補正１】
【補正対象書類名】特許請求の範囲
【補正対象項目名】全文
【補正方法】変更
【補正の内容】
【特許請求の範囲】
【請求項１】
外面及び空洞を囲む内面を有する壁構造物と、前記空洞内に収容される壊れやすい物品(100；100')とを有する保護コンテナ(1；1')からなるパッケージにおいて、
前記外面の少なくとも一セクション(31；31')は、リブ(37；37')とくぼみ(39；39')からなる波形を有し、
前記波形のくぼみは、前記物品に作用して物品を空洞内で位置決めする内面のセクション(41、41')に一致し、
波形のリブは、衝撃が加えられた時に壊れやすい物品を破壊から保護するために前記衝撃を吸収するようになっているパッケージ。
【請求項２】
請求項１記載のパッケージにおいて、
前記波形は、無端平面上に壁構造物のセクションが落下した場合に、保護コンテナのリブのみが地面に接触するような大きさ及び構造となっていることを特徴とするパッケージ。
【請求項３】
請求項１又は２記載のパッケージにおいて、
壁構造物の内面はリブ(41;41')とくぼみ(43;43')からなる波形を有し、内面のリブは空洞内の物品に作用して容器を位置決めし、内面のくぼみは物品から間隔をおいており、内面のリブとくぼみの位置は、それぞれ外面のリブとくぼみからずれているパッケージ。
【請求項４】
請求項１〜３のいずれかに記載のパッケージにおいて、
壁構造物の外面は、保護コンテナに基部(9;9')、頂部(29;29')及び側部(31;31')を提供しており、
壁構造物の少なくとも一セクションは側部となっているパッケージ。
【請求項５】
請求項４に記載のパッケージにおいて、
波形のリブとくぼみは、基部から頂部に向けて延びているパッケージ。
【請求項６】
請求項１〜５のいずれかに記載のパッケージにおいて、
壊れやすい物品は、内容物を収納した容器(100;100')であるパッケージ。
【請求項７】
請求項４、５又は請求項４を引用した請求項６のいずれかに記載のパッケージにおいて、
保護コンテナは縦向きに延びる中心軸線(X;X')を有し、
前記側面は、少なくとも前記基部及び頂部に隣接する前後の位置(45、47;45'、47)で中心軸線と直角な断面が最大寸法となっており、それにより、保護コンテナが無端平坦面上にその側面が落下した時には、前後の位置が地面に衝突し、前後の位置において衝撃発生時の衝撃エネルギーを吸収するようになっていることを特徴とするパッケージ。
【請求項８】
請求項７記載のパッケージにおいて、
前記側面は、前後位置では、コンテナの側部への衝撃に応じて中心軸線に向って内方に変形するようになっているパッケージ。
【請求項９】
請求項７又は８記載のパッケージにおいて、
前記側面の前後位置のうち少なくとも一方には、リムとして、円周方向に方向付けられた突起部(45,47；45',47')が形成されているパッケージ。
【請求項１０】
請求項９記載のパッケージにおいて、
少なくとも１つの前記突起部は、側面をトランペット形(33,35；33',35')に形成することにより構成されているパッケージ。
【請求項１１】
請求項９又は１０記載のパッケージにおいて、
少なくとも１つの前記突起部は、リムの裏面に位置すると共にそこから離れた端面に向って突起部内に延びている凹入領域(48,49；48',49')を有しているパッケージ。
【請求項１２】
請求項９〜１１のいずれかに記載のパッケージにおいて、
前記突起部は前端面に形成された前方突起部であり、前端面は外辺部を有し、前記前方突起部のリムは前記外辺部に隣接しているパッケージ。
【請求項１３】
請求項１１を引用した請求項１２に記載のパッケージにおいて、
前記前端面には凹部(49；49')が形成され、該凹部は、前記リムと凹部の間にリップを形成する前端面の外辺部と共に前記凹入領域を形成しているパッケージ。
【請求項１４】
請求項４〜１３のいずれかに記載のパッケージにおいて、
空洞に接近するために前記前端面に窓孔(57；57')を形成しているパッケージ。
【請求項１５】
請求項１４に記載のパッケージにおいて、
前記窓孔を閉塞するための閉塞物(55；55')を備え、該閉塞物(55；55')は、保護コンテナに固定されると共に、窓孔を閉じる閉位置と、窓孔を開く開位置の間で移動可能となっており、前記閉塞物を開位置で係止するための留め金機構(59、61;59'、61')を備えているパッケージ。
【請求項１６】
請求項６を引用した請求項１４又は１５に記載のパッケージにおいて、
空洞内に配置された容器は、内容物を供給する側の端部(101)が頂部に対向しており、容器の前記端部から供給される内容物は、窓孔を通して、保護コンテナの外部に供給されるようになっているパッケージ。
【請求項１７】
請求項１３を引用した請求項１５又は１６に記載のパッケージにおいて、
前記凹部は第１の凹部(49;49')であり、前端部にボス(51；51')が形成され、前記窓孔は、前記ボスの第２の凹部(96;96')の基部に形成され、前記閉塞物は第２の凹部内に位置し、前記第１の凹部はボス周囲の環状溝(49;49')を形成しているパッケージ。
【請求項１８】
請求項４に記載のパッケージにおいて、
前記突起部は後方突起部(45,45')であり、該後方突起部のリムは前記後端面の前方に間隔をおいており、後方突起部のリムと、後端面の前方に間隔をおいている凹入領域との間にリップが形成されているパッケージ。
【請求項１９】
請求項１８に記載のパッケージにおいて、
前記凹入領域は側部の表面の環状溝(48)を形成しているパッケージ。
【請求項２０】
請求項１１、請求項１１を引用した請求項１２、請求項１３、請求項１４、請求項１５、請求項１６、請求項１１を引用した請求項１７、請求項１８又は請求項１９のいずれかに記載のパッケージにおいて、
少なくとも１つの凹入領域は、円周方向に間隔をおいて配置された複数の強化リブ(50、69;50'、69')を内蔵しているパッケージ。
【請求項２１】
請求項１〜２０のいずれかに記載のパッケージにおいて、
基部を含む後部品(5;5')と、該後部品に固定可能な前部品(3;3')からなり、該前部品は、中空状に形成されると共に、壊れやすい物品を挿入するために後端部に開口(27;27'）を有しているパッケージ。
【請求項２２】
請求項７を引用した請求項２１に記載のパッケージにおいて、
前記後位置は、前記前部品の後端部に形成された開口の外辺部上であるパッケージ。
【請求項２３】
請求項９〜１３又は１８〜２０のいずれかに記載のパッケージにおいて、
円周方向に方向付けられた少なくとも１つの前記突起部は、無端状のリングであるパッケージ。
【請求項２４】
請求項９〜１３又は１８〜２０のいずれかに記載のパッケージにおいて、
少なくとも１つの前記突起部は、分離ビードよりなる分割状のリングであるパッケージ。
【請求項２５】
請求項４〜２４のいずれかに記載のパッケージにおいて、
保護コンテナが逆向き姿勢の時に保護コンテナ内の物品に当接する空洞内の最も前端側の保持面(71;71')と、保護コンテナが正立姿勢の時に保護コンテナ内の物品に当接する最も後端側の保持面(23；23')とを有し、
前端側の保持面と後端側の保持面の少なくとも一方が、前位置及び後位置の軸方向内方に間隔をおいているパッケージ。
【請求項２６】
請求項１〜２５のいずれかに記載のパッケージにおいて、
保護コンテナには、収納位置から、保護コンテナが吊り下げ部材により逆さに吊り下げることができる展開位置まで移動可能なハンガー部材(17')が固定されているパッケージ。
【請求項２７】
請求項４を引用した請求項２６に記載のパッケージにおいて、
前記ハンガー部材が収納位置の時には凹部内にきちんと収納されるように凹部(13')が形成されているパッケージ。
【請求項２８】
請求項４〜２５のいずれかに記載のパッケージにおいて、
保護コンテナの基部(9)は凹部(13)を有しており、コンテナを吊り下げるためのハンガー(17)が、後端面から突出しないように前記凹部内に位置しているパッケージ。
【請求項２９】
請求項２８に記載のパッケージにおいて、
保護コンテナの基部(9)の凹部(13)とハンガー(17)は、保護コンテナ(1)の着脱可能部材の一部を形成しているパッケージ。
【請求項３０】
請求項２７、２８又は２９のいずれかに記載のパッケージにおいて、
保護コンテナの基部は、凹部の周りにシート面(9')を有しており、
該シート面は、基部の衝撃エネルギー吸収セクション(11a,11b')によって提供されており、
前記エネルギー吸収セクションは、基部に衝撃が加わった時に衝撃エネルギーを吸収して、壊れやすい容器を破壊から保護するようになっているパッケージ。
【請求項３１】
請求項３０に記載のパッケージにおいて、
衝撃エネルギー吸収セクションは、保護コンテナがそのシート面側で着座する時に、壊れやすい容器から後方に間隔を隔てるように空洞の境界面を形成する内面(25a',25b')を有しており、境界面と容器が逃げ空間によって間隔を隔てているパッケージ。
【請求項３２】
請求項２７〜３１のいずれかに記載のパッケージにおいて、
前記凹部は、保護コンテナがそのシート面側で着座する時に、容器が載る空洞の境界面を形成する内面(23')を有しているパッケージ。
【請求項３３】
請求項２７〜３１のいずれかに記載のパッケージにおいて、
外壁構造物は内外面間の厚みを有しており、
上記厚みは、リブにおける第１の厚み(t1)と、該第１の厚みとは異なったくぼみにおける第２の厚み(t2)を有しているパッケージ。
【請求項３４】
請求項３３に記載のパッケージにおいて、
前記第１の厚みは第２の厚みよりも大きいパッケージ。
【請求項３５】
請求項３３に記載のパッケージにおいて、
外壁構造物のリブと凹部における厚みは、それぞれ概ね一様となっているパッケージ。
【請求項３６】
請求項３３又は３４に記載のパッケージにおいて、
前記第１の厚みはリブ用の最小厚みであり、第２の厚みはくぼみ用の最大厚みであるパッケージ。
【請求項３７】
請求項３３〜３６のいずれかに記載のパッケージにおいて、
外壁構造物の少なくとも１つのセクションは、可撓性部材からなっているパッケージ。
【請求項３８】
請求項３３〜３７のいずれかに記載のパッケージにおいて、
波形はさらに、リブをくぼみに連結する側壁を含んでおり、外壁構造物は、前記側壁に、第１の厚みより大きくない第３の厚み(t3)を有しているパッケージ。
【請求項３９】
請求項３８に記載のパッケージにおいて、
第３の厚みは、第２の厚みより大きいパッケージ。
【請求項４０】
請求項３８又は３９に記載のパッケージにおいて、
第３の厚みは、第１の厚みより小さいパッケージ。
【請求項４１】
請求項１から４０のいずれかに記載のパッケージにおいて、
内面(71；７１')からスカートが垂れ下がっており、
該スカートは、分離した複数のスカート部分(73;73')によって形成されると共に、それぞれ内面及び外面を有しており、
スカート部分の内面は、空洞内に物品が収容された時に物品の構造的な姿(101)を包み込みようになっており、
各スカート部分の外面は、スカート部分が外方へ変形しないように抵抗力を与える１つの支持材(75;75')を備えているパッケージ。
【請求項４２】
請求項１〜４１のいずれかに記載のパッケージにおいて、
収納位置と展開位置の間で移動可能な要素(55')であって、収納位置ではコンテナの面(96')に対し要素が添った状態となり、展開位置では前記面から離れるように延びた状態となる要素と、
少なくとも一端の第１セクション(101b)がコンテナに貼り付けられたラベル(101)とを有しており、
前記ラベルは、収納位置から展開位置への要素の第１の動きの前において、少なくとも前記第１セクションに離脱可能に連結されると共に要素に貼り付けられた第２セクション(101a)を有し、
収納位置から展開位置への要素の第１の動きにおいて第２セクションは少なくとも一端の第１セクションから離れ、反対に要素の収納位置への戻りの動作においては、ラベルは再形成されるようになっているパッケージ。
【請求項４３】
請求項４２に記載のパッケージにおいて、
前記要素は閉塞物(55')であるパッケージ。
【請求項４４】
請求項４２又は４３に記載のパッケージにおいて、
少なくとも１つの離脱可能な連結部分はミシン目により形成されているパッケージ。
【請求項４５】
請求項６〜４４のいずれかに記載のパッケージにおいて、
容器の内容物は液体物質であり、容器は孔明け可能な閉塞物(101)を有し、パッケージはさらに付属品(150)を備え、
該付属品(150)は、稼動位置で外側コンテナ構造物に付属品を連結する連結セクション(153)と、付属品が稼動位置に来た時に、孔明け可能な閉塞物を孔明けするピアシングセクション(155)と、流体物質を付属品内に流通させる通路(159)を有しており、
また、付属品(150)は回転軸芯(L)を有しており、連結セクションは、前記回転軸芯回りに、コンテナ構造物に連結しない第１の回転角位置から連結セクションが稼働位置においてコンテナ構造物に付属品を連結することができる第２の回転角位置まで回転可能となっているパッケージ。
【請求項４６】
請求項４５に記載のパッケージにおいて、
連結セクションは、ピアシングセクションに対して相対的に回転軸芯回りに回転可能であるパッケージ。
【請求項４７】
請求項４５又は４６に記載のパッケージにおいて、
連結セクションは、固定された軸芯位置で、第１の回転角位置と第２の回転角位置に亘って回転可能であるパッケージ。
【請求項４８】
請求項４５、４６又は４７のいずれかに記載のパッケージにおいて、
連結セクションは、稼働位置においてコンテナ構造物に対して付属品を取外し可能に連結するようになっているパッケージ。
【請求項４９】
請求項４５〜４８のいずれかに記載のパッケージにおいて、
連結セクションは、外向きの張り出したロック用部分を備えており、
該ロック用部分は、連結セクションの外側円周外辺部の径方向の両端部に配設された少なくとも２つの拡張部(219)を備えており、
該拡張部は、外側円周外辺部が円形の軌跡を描いて回転した時に、少なくとも２つの凹部(98a、98b)からなるコンテナ構造物の相手側ロック部材に係合するようになっているパッケージ。
【請求項５０】
請求項４５〜４９のいずれかに記載のパッケージにおいて、
連結セクションは、ピアシングセクションに対して相対的な軸方向の移動が実質的に固定されているパッケージ。
【請求項５１】
請求項４５〜５０のいずれかに記載のパッケージにおいて、
ピアシングセクションは、連結セクションが予め設定された軸方向位置であって第１の回転角位置にいる時に、孔明け可能な閉塞物に孔を明け、そして、予め設定された前記軸方向位置に位置している時に第２の回転角位置へ連結部が回転できるようになっているパッケージ。
【請求項５２】
前記いずれかの請求項に記載のパッケージにおいて、
容器は薬剤を収納しているパッケージ。
【手続補正２】
【補正対象書類名】明細書
【補正対象項目名】発明の名称
【補正方法】変更
【補正の内容】
【発明の名称】パッケージ